(57)【要約】【課題】遠隔地に住む家族等の活動状況を適切に検出し、検出した活動状況を先方にてさりげなく表示できる安心表示システムの実現。【解決手段】安心表示システムは、建物内が有人状態か無人状態かに応じて有人信号と無人信号を切り替えて出力する切替部と、建物内に設置され利用者の活動を検出して検出信号を出力するセンサと、切替部およびセンサからの信号に基づいて利用者の活動の活発さを表す活動指数を算出し、ネットワークを介して遠隔地の受信側制御装置に送信する送信側制御装置と、受信した活動指数に応じた表示を行う表示装置を制御する受信側制御装置と、を具備し、送信側制御装置は、有人信号を受けていると検出信号に基づいて活動指数を算出し、無人信号を受けていると活動指数を活動の無いことを表す基準値とする活動指数算出手段と、算出された活動指数を受信側制御装置へ送信する通信制御手段と、を具備する。【選択図】  図３
2010122913.tif 000002
【特許請求の範囲】
【請求項１】
建物内が有人状態か無人状態かに応じて有人信号と無人信号を切り替えて出力する切替部と、
前記建物内に設置され利用者の活動を検出して検出信号を出力するセンサと、
前記切替部および前記センサからの信号に基づいて前記利用者の活動の活発さを表す活動指数を算出し、ネットワークを介して遠隔地の受信側制御装置に送信する送信側制御装置と、
前記送信側制御装置から前記活動指数を受信すると当該活動指数に応じた表示を行う表示装置を制御する受信側制御装置と、
を具備する安心表示システムであって、
前記送信側制御装置は、
前記有人信号を受けていると前記検出信号に基づいて前記活動指数を算出し、前記無人信号を受けていると前記活動指数を活動の無いことを表す基準値とする活動指数算出手段と、
前記活動指数算出手段が算出した前記活動指数を前記受信側制御装置へ送信する通信制御手段と、
を具備することを特徴とした安心表示システム。
【請求項２】
前記活動指数算出手段は、前記センサが人の動きの有を示す検出信号を受信すると、前記活動指数を当該検出信号の受信時からの時間経過とともに段階的に低くなるように算出する請求項１に記載の安心表示システム。
【請求項３】
前記活動指数算出手段は、前記検出信号から判定した前記利用者の居場所に応じた重みを付けて前記活動指数を算出する請求項１または請求項２に記載の安心表示システム。
【請求項４】
前記表示装置は光量または色温度が異なる複数の表示パターンにて発光可能な発光部を具備し、
前記受信側制御装置は、前記送信側制御装置からの前記活動指数に応じて予め設定された前記表示パターンにて前記発光部を発光させる請求項１ないし請求項３の何れかに記載の安心表示システム。
【発明の詳細な説明】
【技術分野】
【０００１】
本発明は、離れて暮らす家族等の様子を離れた場所でも感じることを可能にする安心表示システムに関し、特に家族等の様子を適切に検出し、表示する安心表示システムに関する。
【背景技術】
【０００２】
従来、相手の存在情報を知る場合に、人の思考が中断されず、また、相手の存在感をリアルタイムで抱くことができ、しかも、相手の存在情報を知る場合に、人の手を煩わすことがないつながり感を伝える通信端末が提案されている（特許文献１）。
かかる従来の通信端末は、人の存在、動き、環境にかかる情報を各種センサにて検出し、検出したセンサ情報を遠隔地に所在する家族へ送信する。また、センサ情報を受信すると、センサ情報に基づいて照明・光ファイバの動作などの制御をするものである。通信端末は、センサが検出すると人の動き速度など単一の情報をそのまま、即座に先方へ送信している。
【特許文献１】特開２００２−３１４７０７号公報
【発明の開示】
【発明が解決しようとする課題】
【０００３】
しかし、人の存在感は、人が所在していること、人が動いていること、電灯を点灯していること、物音の強弱など種々の情報が組み合わされて、表現されるものである。従来の通信端末では、単に人の動いている速度が変化すればそのセンサ情報を送信して、照明等を制御することしかできず、種々の情報を組み合わせた、総合的な存在感を先方に伝えることができないという問題があった。
【０００４】
そこで、本発明は、遠隔地に住む家族等の活動状況を適切に検出し、検出した活動状況を先方にてさりげなく表現できる安心表示システムの実現を目的とする。
【課題を解決するための手段】
【０００５】
かかる課題を解決するために本発明は、建物内が有人状態か無人状態かに応じて有人信号と無人信号を切り替えて出力する切替部と、建物内に設置され利用者の活動を検出して検出信号を出力するセンサと、切替部およびセンサからの信号に基づいて利用者の活動の活発さを表す活動指数を算出し、ネットワークを介して遠隔地の受信側制御装置に送信する送信側制御装置と、送信側制御装置から活動指数を受信すると当該活動指数に応じた表示を行う表示装置を制御する受信側制御装置と、を具備する安心表示システムであって、送信側制御装置は、有人信号を受けていると検出信号に基づいて活動指数を算出し、無人信号を受けていると活動指数を活動の無いことを表す基準値とする活動指数算出手段と、活動指数算出手段が算出した活動指数を受信側制御装置へ送信する通信制御手段と、を具備することを特徴とした安心表示システム、を提供する。
【０００６】
かかる構成によれば、有人状態では活動検出結果に応じた活動指数が算出され、無人状態では活動指数を基準値とするので、例えば照明装置を点灯したまま外出してしまったときなどに基準値を超える活動指数が算出されない。そのため、人の活動の実態に合致した表示が可能になり、互いに離れて暮らす者が相手の存在を適確に感じることができる。
【０００７】
また、本発明においては、活動指数算出手段は、センサが人の動きの有を示す検出信号を受信すると、活動指数を当該検出信号の受信時からの時間経過とともに段階的に低くなるように算出することが好ましい。
【０００８】
人の動きは、静止状態での活動やセンサの死角の存在により断続的に検出される。かかる構成によれば、動きセンサが人の動きを検出しなくなったときに活動指数は急激に下がらず時間経過とともに段階的に下がる。そのため、人の活動の実態に合致した表示が可能になり、互いに離れて暮らす者が相手の存在を適確に感じることができる。
【０００９】
また、本発明においては、活動指数算出手段は、検出信号から判定した利用者の居場所に応じた重みを付けて活動指数を算出することが好ましい。
【００１０】
かかる構成によれば、寝室や居間といった居場所に応じた重みを付けた活動指数が算出される。そのため、人の活動の実態に合致した表示が可能になり、互いに離れて暮らす者が相手の存在を適確に感じることができる。
【００１１】
また、本発明においては、表示装置は光量または色温度が異なる複数の表示パターンにて発光可能な発光部を具備し、受信側制御装置は、送信側制御装置からの活動指数に応じて予め設定された表示パターンにて発光部を発光させることが好ましい。
【００１２】
かかる構成によれば、活動状況を光量や色温度の違いで表示するので、過度に注意を惹きつけたり生活を妨害したりせずにさりげなく活動状況を表示できる。
【発明の効果】
【００１３】
本発明によれば、各種センサおよび切替部からの情報を組み合わせて算出した活動指数を伝達・表示するので、互いに離れて暮らす者の間で相手の存在を適確に感じることのできる安心表示システムを提供することができる。
【発明を実施するための最良の形態】
【００１４】
以下、図１を参照して、本発明の実施形態の一例である安心表示システム１について説明する。また、図２を参照して安心表示システム１の各部の配置例を説明する。
【００１５】
安心表示システム１は、複数の安心表示ユニット２がネットワーク３を介して接続されてなる。
【００１６】
安心表示ユニット２の１つは、互いに離れて暮らしており相手の存在を感じていたい者のうちの一方が生活する建物内に設置され、別の安心表示ユニット２の１つは他方が生活する建物内に設置される。例えば、互いに離れて暮らす者とは独居老人、独り暮らしの学生やОＬ、又は単身赴任者等と、その家族である。また、例えば、互いに離れて暮らす者とは遠距離恋愛中の男女である。
【００１７】
ネットワーク３は、インターネット等の広域通信網である。
【００１８】
安心表示ユニット２の１つが建物内の人の活動を検出し、検出結果を基に活動状況を表す活動指数を算出して別の安心表示ユニット２へ送信し、活動指数を受信した安心表示ユニット２が当該活動指数に応じた表示を行う。これにより互いに離れて暮らす者の間に、互いの生活を妨害することなく相手の存在を感じさせて、空間を超えた「つながり感」を提供する。
【００１９】
活動指数は、人の活動が活発であるほど高く算出される。本実施形態においては、活動がない場合の活動指数を０（基準値）、最も活発な場合の活動指数を５とし、６段階の活動指数が算出される。
【００２０】
安心表示ユニット２は、切替部４と、各種センサ５と、表示装置６とが制御装置７に接続されてなり、制御装置７はさらにネットワーク３に接続される。切替部４と制御装置７の接続形態、各種センサ５と制御装置７の接続形態は、それぞれ有線、無線のどちらでも良い。
【００２１】
切替部４（図中の「Ｂ」）は、建物内が有人状態であるか無人状態であるかを入力操作するスイッチである。切替部４は、建物の利用者により外出時及び帰宅時に操作され、有人状態に切り替わると有人信号を出力し、無人状態に切り替わると無人信号を出力する。図２の例では、切替部４が建物の玄関付近に設置されている。
尚、警備モード（無人状態）と警備解除モード（有人状態）を切り替えるモードスイッチを備えた警備装置を切替部４として利用することもできる。
又、人の存在を検知するセンサーやＲＦタグを利用して建物内が有人状態であるか無人状態であるかを判定して自動的に切り替わるようにしてもよい。
【００２２】
各種センサ５は、建物内での人の活動を検出して検出信号を出力するセンサである。各種センサ５は、各部屋に設置されて、人の活動の有無や人の居場所といった人の活動状況を検出する。また、各種センサ５には予め安全表示ユニット２内で個々を識別可能なセンサＩＤが付与されており、各種センサ５は検出信号に自己のセンサＩＤを含ませて出力する。
図中「Ｍ」は人の動きを検出する動きセンサである。各動きセンサは赤外線センサ又はマイクロ波センサなどで構成され、人の動きを検出すると検出信号を出力する。
図中「Ｌ」は建物内に設置されている照明装置の点消灯を検出する照明センサである。各照明センサは照度センサ又は電流検出器などで構成され、照明装置の点灯及び消灯を検出したときに検出信号を出力する。
図２の例では、動きセンサが玄関、寝室、居間、脱衣所に設置され、照明センサが玄関、寝室、居間、風呂に設置されている。
【００２３】
表示装置６は、遠隔地の建物における人の活動の様子を人が認知可能に表示する装置である。表示装置６は、複数のＬＥＤ（Light Emitting Diode）からなる発光部が透過性のカバーに覆われて構成される。
発光部は赤色５個、緑色７個、青色７個の計１９個のＬＥＤで構成される。ＬＥＤの点灯数を制御することにより光量が調整され、点灯させるＬＥＤの色の割合を制御することにより色温度が調整される。
カバーは、複数のＬＥＤからの光が混ざって拡散するように和紙、すりガラス、乳白色のプラスチックなどで構成する。
尚、発光部はＬＥＤに限らず、白熱灯、蛍光灯などで構成してもよい。白熱灯の場合は点灯数に代えて電圧を制御することによっても光量を調整することができる。
【００２４】
制御装置７は、切替部４及び各種センサ５からの信号を基に活動指数を算出して他の制御装置７へ送信する。また、制御装置７は、他の制御装置７からの活動指数を受信し、表示装置６を制御して活動指数に応じた表示を行わせる。
【００２５】
図３を参照して、制御装置７の構成を説明する。
【００２６】
制御装置７は、切替部Ｉ／Ｆ７１と、センサＩ／Ｆ７２と、ネットワークＩ／Ｆ７３と、記憶部７４とが、制御部７５に接続されてなる。
【００２７】
切替部Ｉ／Ｆ７１は、切替部４と接続され、有人信号及び無人信号を制御部７５へ入力するインターフェース回路である。
【００２８】
センサＩ／Ｆ７２は、各種センサ５と接続され、検出信号を制御部７５へ入力するインターフェース回路である。
【００２９】
ネットワークＩ／Ｆ７３は、ネットワーク３と接続され、活動指数等を送受信するインターフェース回路である。
【００３０】
記憶部７４は、ＲＯＭ、ＲＡＭ等のメモリ装置であり、各種プログラムや各種データを記憶し、制御部７５との間でこれらを入出力する。各種データには表示用テーブル７４１、重みテーブル７４２が含まれる。
【００３１】
表示用テーブル７４１は、活動指数と表示装置による表示パターンとを対応付けたテーブルであり、予め設定される。表示パターンは、ＬＥＤの点灯数及び点灯させるＬＥＤの色の割合で表される。
図４は、表示用テーブル７４１を例示したものである。活動指数０に対しては全消灯の表示パターンが設定されている。以降、活動指数が高いほど点灯数の多い表示パターン、すなわち光量（単位；ｌｘ（ルクス））の高い表示パターンが設定されている。また、活動指数が高いほど緑色と青色の点灯割合が多く赤色の点灯割合が少ない表示パターン、すなわち色温度（単位；Ｋ（ケルビン））の高い表示パターンが設定されている。例えば、活動指数が５のときは１９個のＬＥＤが点灯し、そのうち赤色が５個（２８％）、緑色が７個（３６％）、青色が７個（３６％）の表示パターンとなる。
【００３２】
重みテーブル７４２は、各種センサ５により検出された人の活動と活動指数の基礎となる得点とを対応付けたテーブルであり、予め設定される。得点が集計されて活動指数が算出される。得点には、人の動きに着目した動き得点と、人の活動場所に着目した居場所得点の２種類が設定されている。
【００３３】
図５（ａ）は、最後に動きセンサから検出信号を受信してからの経過時間と、動き得点とを対応付けたテーブルである。動き得点は、経過時間が５分未満であれば３点、以降５分、７分が経過した時点で１点ずつ下がり、経過時間が１０分以上なら０点と設定されている。
動き得点は、経過時間が長くなるほど低くなるよう重み付けされている点に特徴がある。
【００３４】
図５（ｂ）は、各照明センサからの検出信号の受信により判定される人の居場所と、居場所得点を対応付けたテーブルである。寝室に設置された照明センサから照明装置の点灯が検出された場合の居場所得点は１点、同様に風呂なら２点、居間なら３点、廊下なら１点が設定されている。また、照明装置の消灯が検出された場合の居場所得点は、人の活動が無いとして部屋によらず０点が設定されている。
居場所得点は、部屋で専ら行われる活動の活発さを勘案して設定されている。例えば、寝室で行われる睡眠等は活発さが低いため最低点、居間で行われる娯楽活動等は活発さが高いため最高点が設定されている。このように居場所得点は、部屋の役務に応じて重み付けされている点に特徴がある。
【００３５】
また、各制御装置７には、ネットワーク３において当該制御装置７を識別可能なＩＰアドレスが予め付与されている。記憶部７４には通信相手の制御装置７のＩＰアドレスが予め設定されている。通信相手の制御装置７とは離れて暮らす相手が生活する建物内に設置されている制御装置７である。
【００３６】
また、記憶部７４には、各種センサ５のセンサＩＤとセンサの種別との対応関係、さらに照明センサについてはセンサＩＤと設置場所（人の居場所に相当）との対応関係が予めテーブル化されて設定されている。以下、このテーブルをセンサテーブル（不図示）と称する。
【００３７】
制御部７５は、ＤＳＰ、ＭＣＵ等の演算装置であり、活動指数算出手段７５１、通信制御手段７５２、表示制御手段７５３等の動作を記述したプログラムを記憶部７４から読み出して実行することにより各手段として機能する。
また、制御部は不図示の計時手段を備え、現在時刻を取得したり、タイマーを利用したりすることができる。
【００３８】
活動指数算出手段７５１は、各種センサ５及び切替部４からの信号に基づいて建物内での人の活動状況を活動指数として算出し、算出した活動指数を通信制御手段７５２へ出力する。
具体的には、活動指数算出手段７５１は、切替部４から有人信号を受けているときは各種センサ５からの検出信号に基づいて活動指数を算出し、切替部４から無人信号を受けているときは活動指数を基準値（＝０）とする。
このように建物内が無人状態のときに活動指数を基準値とするので、照明装置を点灯したまま外出してしまったときなどに基準値を超える活動指数が算出されない。そのため、建物内における人の活動の実態に合致した活動指数を算出、伝達できる。
【００３９】
各種センサ５からの検出信号に基づく活動指数の算出は、重みテーブル７４２から各検出信号に対応する得点を選択し、選択された得点を合算することで行われる。
【００４０】
動きセンサからの検出信号に対応する動き得点の選択について説明する。
活動指数算出手段７５１は、動きセンサから検出信号を受信したときに受信時刻を記憶部７４に記憶させておき、現在時刻と受信時刻との差を経過時間として求め、経過時間に対応する動き得点を重みテーブル７４２から選択する。検出信号が動きセンサによるものか否かは、受信した検出信号に含まれるセンサＩＤと対応する種別をセンサテーブルから選択することで判定できる。
【００４１】
上述したように動き得点は経過時間が長いほど低く設定されているので、活動指数は人の動きの有を示す検出信号が受信されてからの時間経過とともに低くなるように算出される。逆に、短い時間間隔で検出信号が受信され続ける場合は高い動き得点が選択され続けるため、活動指数は高く維持される。
動きセンサが人の動きを検出しなくなっても、多くの場合、当該人は静止してその場で活動を続け、動きは断続的に検出される。また、動きセンサの数は限られるため死角ができ、人が移動中であっても動きは断続的に検出される。そのため、人の動きを検出されなくなると直ちに活動指数を下げるのではなく、時間経過とともに緩やかに活動指数を下げることで、建物内における人の活動の実態に合致した活動指数を算出、伝達できる。
【００４２】
照明センサからの検出信号に対応する居場所得点の選択について説明する。
活動指数算出手段７５１は、照明センサから検出信号を受信したときに検出信号が表す照明装置の点灯状態を照明センサごとに記憶部７４に記憶させておき、各照明装置の点灯状態に対応する居場所得点を重みテーブル７４２から選択する。検出信号が照明センサによるものか否か、及び照明センサが点灯を検出した人の居場所は、受信した検出信号に含まれるセンサＩＤと対応する種別、及び設置場所をセンサテーブルから選択することで判定できる。
【００４３】
上述したように重みテーブル７４２には居場所ごとの活発さに応じた居場所得点が設定されているので、活動指数は、人の活動が活発なほど高く、活発でないほど低く算出される。
そのため、建物内における居場所に応じて人の活動の実態に合致した活動指数を算出、伝達できる。
【００４４】
通信制御手段７５２は、活動指数算出手段７５１により新たに活動指数が算出されたときに、算出された活動指数をネットワーク３経由にて遠隔地に設置されている通信相手の制御装置７へ送信する。すなわち通信制御手段７５２は、通信相手の制御装置７のＩＰアドレスを宛先とし算出された活動指数を同梱したパケットをネットワークＩ／Ｆ７３へ出力する。
また、通信制御手段７５２は、通信相手の制御装置７からの活動指数を受信して表示制御手段７５３へ出力する。すなわち通信制御手段７５２は、ネットワークＩ／Ｆ７３が受信したパケットを開梱して通信相手の制御装置７からのパケットと確認されれば、パケットから取得した活動指数を表示制御手段７５３へ出力する。
【００４５】
表示制御手段７５３は、表示装置６を制御して受信した活動指数に応じた表示を行わせる。すなわち表示制御手段７５３は、通信制御手段７５２から入力された活動指数に対応する表示パターンを表示用テーブル７４２から選択し、選択した表示パターンに応じた制御信号を表示装置６へ出力する。
上述したように表示装置６は活動指数の違いを光量や色温度の違いで表示するので、光の明滅や音、映像とは異なり過度に注意を惹きつけたり生活を妨害したり相手のプライバシーを侵害したりせず、遠隔地の建物における人の活動の様子をさりげなく表示できる。
また、表示装置６は３以上の段階で表示するので、人の活動による変化を視認させることができ、遠隔地の建物において人が活動していることを実感させることができる。
【００４６】
次に、図６を参照して安心表示システム１の動作を説明する。
【００４７】
制御装置７の制御部７５は、起動されるとまず各部、各手段を初期化する（Ｓ１）。活動指数は０に初期化される。また、活動指数の更新周期（例えば１分間）をセットしてタイマーをスタートさせる。初期化後、制御部７５はＳ２〜Ｓ１０の処理を繰り返し行う。
【００４８】
Ｓ２〜Ｓ７の処理が実行されるとき、制御装置７は送信側制御装置として動作し、当該制御装置が設置された建物内における人の活動指数を定期的に算出して送信する。
【００４９】
まず、制御部７５の活動指数算出手段７５１は、各種センサ５からの検出信号を受信しているか確認し（Ｓ２）、受信していればその受信記録を生成する（Ｓ３）。すなわち動きセンサのいずれかからの検出信号であれば受信時刻（動きセンサの別を問わない共通の記録）を記憶部７４に記憶させ、照明センサからの検出信号であれば検出された状態が点灯か消灯かを照明センサごとに記憶部７４に記憶させる。
【００５０】
次に、活動指数算出手段７５１は、タイマーを参照して更新時刻の到来を確認し（Ｓ４）、到来していれば活動指数の算出を行う（Ｓ５）。
【００５１】
図７を参照して活動指数算出処理の詳細を説明する。
【００５２】
まず、活動指数算出手段７５１は切替部４からの信号を確認し（Ｓ５０）、信号が無人状態を表す無人信号であれば活動指数を基準値の０とする（Ｓ５１）。
一方、信号が有人状態を表す有人信号であれば、活動指数算出手段７５１はＳ５２〜Ｓ６３の処理を実行して各種センサ５からの検出信号に応じた活動指数を算出する。
【００５３】
Ｓ５２〜Ｓ５５では、動きセンサからの検出信号に応じた活動指数が算出される。
すなわち、活動指数算出手段７５１は、図６のＳ３にて生成された受信記録の中に動きセンサの受信記録があるか確認し（Ｓ５２）、受信記録があれば現在時刻と受信時刻の差を経過時間として算出し（Ｓ５３）、経過時間に対応した動き得点を重みテーブル７４２から選択する（Ｓ５４）。一方、受信記録がない場合、活動指数算出手段７５１は動き得点を０とする（Ｓ５５）。
【００５４】
Ｓ５６〜Ｓ６０では、照明センサからの検出信号に応じた活動指数が算出される。
すなわち、活動指数算出手段７５１は、照明センサについてのループ処理を設定し（Ｓ５６，Ｓ６０）、各照明センサについて図６のＳ３にて生成された受信記録を参照して対応する部屋の照明装置が点灯しているか消灯しているかを判定し（Ｓ５７）、判定結果に対応した居場所得点を重みテーブル７４２から選択して（Ｓ５８）、選択した居場所得点を順次累積する（Ｓ５９）。
【００５５】
こうして全てのセンサ５について処理を終えると、活動指数算出手段７５１はＳ５４にて選択された動き得点とＳ５９にて算出された居場所得点の累積値を合算して活動指数を算出する（Ｓ６１）。このとき算出された活動指数が最大値の５を超えていれば（Ｓ６２−はい）、活動指数を５に修正する（Ｓ６３）。
【００５６】
図６に戻り、制御部７５の活動指数算出手段７５１は算出された活動指数を記憶部７４に記憶させ（Ｓ６）、制御部７５の通信制御手段７５２は算出された活動指数を通信相手の制御装置７へ送信する（Ｓ７）。活動指数はネットワーク３により通信相手の制御装置７に伝送される。
【００５７】
Ｓ８〜Ｓ１０の処理が実行されるとき、制御装置７は受信側制御装置として動作し、遠隔地にて算出された活動指数を受信して表示を行う。
【００５８】
すなわち、制御部７５の表示制御手段７５３は通信相手の制御装置７から活動指数を受信しているか確認し（Ｓ８）、受信していれば受信した活動指数に応じた表示パターンを表示用テーブル７４１から選択して（Ｓ９）、選択した表示パターンに応じた制御信号を表示装置６へ出力する（Ｓ１０）。表示装置６は発光部を制御信号に対応する表示パターンにて点灯させる。尚、このとき、表制御手段７５３は、節電のために切替部４からの信号を確認して信号が有人状態を表す有人信号であるときだけＳ９及びＳ１０を実行してもよい。
【００５９】
以上の実施形態においては、各種センサ５がセンサＩＤを含めた検出信号を出力し、活動指数算出手段７５１がセンサＩＤによりセンサ５を識別する例を示した。別の実施形態においては、活動指数算出手段７５１は有線接続された各種センサ５をセンサＩ／Ｆ７２における接続端子の別によって識別する。
また、以上の実施形態においては、各種センサ５はセンサＩＤを含めた検出信号を出力し、活動指数算出手段７５１は検出信号に含まれるセンサＩＤを基にセンサ５の種別や設置場所を判定する例を示した。別の実施形態においては、各種センサ５は種別や設置場所を含めた検出信号を出力する。
また、以上の実施形態においては、各種センサ５として動きセンサ及び照明センサの両方を用いる例を示した。別の実施形態においては各種センサ５として動きセンサのみ、或いは照明センサのみを用いる。動きセンサのみの場合、センサＩＤ及びセンサテーブルの設定は不要である。
【００６０】
以上の実施形態においては、表示装置６は光量及び色温度を変化させることで活動状況を表示する例を示した。別の実施形態においては表示装置６は光量のみ、或いは色温度を変化させることで活動状況を表示する。
【図面の簡単な説明】
【００６１】
【図１】本発明の実施形態である安心表示システム１の構成例を示す図
【図２】安心表示システム１の各部の配置の一例を示す図
【図３】制御装置７の構成例を示す図
【図４】表示用テーブル７４１の一例を示す図
【図５】重みテーブル７４２の一例を示す図
【図６】安心表示システム１の動作例を示すフローチャート
【図７】活動指数算出手段７５１の動作例を示すフローチャート
【符号の説明】
【００６２】
１・・・安心表示システム、
２・・・安心表示ユニット、
３・・・ネットワーク、
４・・・切替部、
５・・・各種センサ、
６・・・表示装置、
７・・・制御装置、
７４・・・記憶部、
７４１・・・表示用テーブル、
７４２・・・重みテーブル、
７５１・・・活動指数算出手段、
７５２・・・通信制御手段、
７５３・・・表示制御手段
【図１】
2010122913.tif 000003
【図２】
2010122913.tif 000004
【図３】
2010122913.tif 000005
【図４】
2010122913.tif 000006
【図５】
2010122913.tif 000007
【図６】
2010122913.tif 000008
【図７】
2010122913.tif 000009